(57)【要約】【課題】  簡易な工程で、薄状の装飾物の保存性や対候性を高められる額を提供することを第１の課題とする。同様にして、ガラス板を建物に取り付けるに際して、薄状の装飾物の保存性や対候性を高めることを第２の課題とする。【解決手段】  表側のガラス板２の裏面２ｂに、裏側のガラス板３が配置されている。表側のガラス板２と裏側のガラス板３との間に、たとえば押し花である薄状の装飾物４が挟み込まれている。表側ガラス板２の裏面２ｂに、薄状の装飾物４が貼着されている。透明の接着フィルム５により薄状の装飾物４を覆って、表側ガラス板２の裏面２ｂに、薄状の装飾物４が貼着されている。表側のガラス板２と裏側のガラス板３との間に、押し花である薄状の装飾物４が挟み込まれた状態で、裏側のガラス板３の裏面３ｂが、押さえ部材６によって圧接して、表側のガラス板２の裏面２ｂと裏側のガラス板３の表面３ａとを密接させる。薄状の装飾物４は真空状態に保持される。【選択図】  図２
2016022213.tif 000002
【特許請求の範囲】
【請求項１】
表側のガラス板を介して、薄状の装飾物を透視可能に保持する額において、
前記表側のガラス板の裏面に、裏側のガラス板を配置し、
前記表側のガラス板と前記裏側のガラス板との間に、前記薄状の装飾物を挟み込んだ状態で、前記裏側のガラス板の裏面を、押さえ部材によって圧接して、前記表側のガラス板の裏面と前記裏側のガラス板の表面とを密接させ、前記薄状の装飾物を真空状態に保持してなる２枚のガラス板を用いた額。
【請求項２】
前記表側ガラス板の裏面または前記裏側ガラス板の表面に、前記薄状の装飾物が貼着された状態で、前記表側のガラス板の裏面と前記裏側のガラス板の表面とを密接させたことを特徴とする請求項１記載の２枚のガラス板を用いた額。
【請求項３】
透明の接着フィルムにより前記薄状の装飾物を覆って、前記表側ガラス板の裏面または前記裏側ガラス板の表面に、前記薄状の装飾物を貼着させたことを特徴とする請求項２記載の２枚のガラス板を用いた額。
【請求項４】
前記裏側のガラス板の裏面側に、前記裏側のガラス板に光を透過させる光源を設けたことを特徴とする請求項１から請求項３のいずれか一項に記載の２枚のガラス板を用いた額。
【請求項５】
室内および室外から透視可能に、ガラス板が建物に取り付けられた建物構造体であって、
前記表側のガラス板の室外側の表面とは反対側の裏面に、裏側のガラス板を配置し、
前記表側のガラス板と前記裏側のガラス板との間に、前記薄状の装飾物を挟み込んだ状態で、前記表側のガラス板の裏面と前記裏側のガラス板の表面とを密接させて、建物に取り付け、前記薄状の装飾物を真空状態に保持してなる２枚のガラス板を用いた建物構造体。
【請求項６】
前記表側ガラス板の裏面または前記裏側ガラス板の表面に、前記薄状の装飾物が貼着された状態で、前記表側のガラス板の裏面と前記裏側のガラス板の表面とを密接させたことを特徴とする請求項５記載の２枚のガラス板を用いた建物構造体。
【請求項７】
透明の接着フィルムにより前記薄状の装飾物を覆って、前記表側ガラス板の裏面または前記裏側ガラス板の表面に、前記薄状の装飾物を貼着させたことを特徴とする請求項６記載の２枚のガラス板を用いた建物構造体。
【請求項８】
前記薄状の装飾物は、押し花、絵画、写真であることを特徴とする請求項１から４のいずれか一項に記載の２枚のガラス板を用いた額。
【請求項９】
前記薄状の装飾物は、押し花、絵画、写真であることを特徴とする請求項５から７のいずれか一項に記載の２枚のガラス板を用いた建物構造体。  
【発明の詳細な説明】
【技術分野】
【０００１】
本発明は、表側のガラス板を介して、薄状の装飾物を透視可能に保持する額および室内および室外から透視可能に、ガラス板が建物に取り付けられた建物構造体に関する。
【背景技術】
【０００２】
押し花、絵画、写真などの薄状の装飾物を額に入れて、飾る際には、保存性や対候性が必要とされる。
【０００３】
下記特許文献１には、押し花を透明板に挟んだ上で、アルミ箔と透明板の間に押し花を挟み、接着剤で密封した上で、真空ポンプで真空引きして、押し花の保存性を高めるという発明が記載されている。
【先行技術文献】
【特許文献】
【０００４】
【特許文献１】特開２００１−１４８４７３号公報
【発明の概要】
【発明が解決しようとする課題】
【０００５】
しかしながら、従来技術にあっては、真空ポンプで真空引きをするなど面倒な工程を要する。  
本発明は、簡易な工程で、薄状の装飾物の保存性や対候性を高められる額を提供することを第１の課題とする。
【０００６】
同様にして、ガラス板を建物に取り付けるに際して、薄状の装飾物の保存性や対候性を高めることを第２の課題とする。
【課題を解決するための手段】
【０００７】
第１発明は、
表側のガラス板を介して、薄状の装飾物を透視可能に保持する額において、
前記表側のガラス板の裏面に、裏側のガラス板を配置し、
前記表側のガラス板と前記裏側のガラス板との間に、前記薄状の装飾物を挟み込んだ状態で、前記裏側のガラス板の裏面を、押さえ部材によって圧接して、前記表側のガラス板の裏面と前記裏側のガラス板の表面とを密接させ、前記薄状の装飾物を真空状態に保持してなる２枚のガラス板を用いた額であることを特徴とする。
第２発明は、第１発明において、
前記表側ガラス板の裏面または前記裏側ガラス板の表面に、前記薄状の装飾物が貼着された状態で、前記表側のガラス板の裏面と前記裏側のガラス板の表面とを密接させたことを特徴とする。
【０００８】
第３発明は、第２発明において、
透明の接着フィルムにより前記薄状の装飾物を覆って、前記表側ガラス板の裏面または前記裏側ガラス板の表面に、前記薄状の装飾物を貼着させたことを特徴とする。
【０００９】
第４発明は、第１発明から第３発明において、
前記裏側のガラス板の裏面側に、前記裏側のガラス板に光を透過させる光源を設けたことを特徴とする。
【００１０】
第５発明は、
室内および室外から透視可能に、ガラス板が建物に取り付けられた建物構造体であって、
前記表側のガラス板の室外側の表面とは反対側の裏面に、裏側のガラス板を配置し、
前記表側のガラス板と前記裏側のガラス板との間に、前記薄状の装飾物を挟み込んだ状態で、前記表側のガラス板の裏面と前記裏側のガラス板の表面とを密接させて、建物に取り付け、前記薄状の装飾物を真空状態に保持してなる２枚のガラス板を用いた建物構造体であることを特徴とする。
【００１１】
第６発明は、第５発明において、
前記表側ガラス板の裏面または前記裏側ガラス板の表面に、前記薄状の装飾物が貼着された状態で、前記表側のガラス板の裏面と前記裏側のガラス板の表面とを密接させたことを特徴とする。
【００１２】
第７発明は、第６発明において
透明の接着フィルムにより前記薄状の装飾物を覆って、前記表側ガラス板の裏面または前記裏側ガラス板の表面に、前記薄状の装飾物を貼着させたことを特徴とする。
【００１３】
第８発明は、第１発明から第４発明において、              
前記薄状の装飾物は、押し花、絵画、写真であることを特徴とする。
【００１４】
第９発明は、第５発明から第７発明において、              
前記薄状の装飾物は、押し花、絵画、写真であることを特徴とする。
【発明の効果】
【００１５】
第１発明によれば、表側のガラス板と裏側のガラス板との間に、薄状の装飾物を挟み込んだ状態で、裏側のガラス板の裏面を、押さえ部材によって圧接して、表側のガラス板の裏面と裏側のガラス板の表面とを密接させるようにしたので、簡易な工程で、薄状の装飾物を真空状態に保持することができ、額に入れた薄状の装飾物の保存性や対候性を高められる。
【００１６】
第５発明によれば、表側のガラス板の室外側の表面とは反対側の裏面に、裏側のガラス板を配置し、表側のガラス板と裏側のガラス板との間に、薄状の装飾物を挟み込んだ状態で、表側のガラス板の裏面と裏側のガラス板の表面とを密接させて、建物に取り付けるようにしたので、簡易な工程で、薄状の装飾物を真空状態に保持することができ、建物構造体に取り入れた薄状の装飾物の保存性や対候性を高められる。
【図面の簡単な説明】
【００１７】
【図１】図１は、第１実施例の額１の正面図である。
【図２】図２は、額１の組み立て図を示す斜視図である。
【図３】図３は、額１の断面図である。
【図４】図４は、第２実施例の額１の断面図である。
【図５】図５は、建物構造体１０の断面図である。
【発明を実施するための形態】
【００１８】
（第１実施例）
図１は、第１実施例の額１の正面図を示す。
【００１９】
図１に示すように、額１は、枠体１ａにはめ込まれた表側のガラス板２を介して、押し花である薄状の装飾物４を透視可能に保持している。
【００２０】
図２は、額１の組み立て図を斜視図にて示す。また図３は、額１の断面図を示す。
【００２１】
表側のガラス板２の裏面２ｂ側に、裏側のガラス板３が配置されている。
【００２２】
表側のガラス板２と裏側のガラス板３との間に、押し花である薄状の装飾物４が挟み込まれている。たとえば表側ガラス板２の裏面２ｂに、薄状の装飾物４が貼着されている。たとえば透明の接着フィルム５により薄状の装飾物４が覆われて、表側ガラス板２の裏面２ｂに、薄状の装飾物４が貼着されている。裏側のガラス板３の表面３ａに、薄状の装飾物４を同様に、透明の接着フィルム５により覆って、貼着してもよい。
【００２３】
このように、表側のガラス板２と裏側のガラス板３との間に、押し花である薄状の装飾物４が挟み込まれた状態で、裏側のガラス板３の裏面３ｂが、押さえ部材６によって圧接されて、表側のガラス板２の裏面２ｂと裏側のガラス板３の表面３ａとが密接される。表側のガラス板２の表面２ａの外周部は、額１の枠体１ａの裏側の凹部１ｂに当接される。
【００２４】
押さえ部材６は、たとえば、板６ａに、板ばね６ｂが設けられた部材である。板ばね６ｂは、裏側のガラス板３の裏面３ｂに対してばね力を付与するように、板６ａのガラス板側、つまり裏側のガラス板３の裏面３ｂ側の面６ｃに取り付けられている。
板６ｂは、枠体１ａの裏側の面１ｃに取り付けられた止め具１ｄによって、枠体１ｂに固定されている。
【００２５】
これにより、薄状の装飾物４は真空状態に保持される。よって、本実施例によれば、簡易な工程と簡易な構成部材で、薄状の装飾物４の保存性や対候性が高められる。
【００２６】
なお、板ばね６ｂの代わりに、コイルばねを使用する実施も可能である。また、ガラス板は、化学研磨され、平滑面となっていることが望ましい。
【００２７】
なお、実施例では、薄状の装飾物４を、透明の接着フィルム５により薄状の装飾物４を覆ってガラス板に貼着しているが、薄状の装飾物４をガラス板に直接貼着してもよく、薄状の装飾物４を保持できるのであれば、接着剤などを使用することなく、表側のガラス板２と裏側のガラス板３との間に、挟み込むだけでよい。
【００２８】
（第２実施例）
第２実施例においても、図１に示したのと同様に、額１は、枠体１ａにはめ込まれた表側のガラス板２を介して、押し花である薄状の装飾物４を透視可能に保持している。また、図２に示したと同様に、表側のガラス板２と裏側のガラス板３との間に、薄状の装飾物４を挟み込んだ状態で、裏側のガラス板３の裏面３ｂが、押さえ部材６によって圧接されて、表側のガラス板２の裏面２ｂと裏側のガラス板３の表面３ａとが密接され、薄状の装飾物４が真空状態に保持されている。この第２実施例においても、たとえば透明の接着フィルム５により薄状の装飾物４が覆われて、表側ガラス板２の裏面２ｂに、薄状の装飾物４が貼着されている。なお、裏側のガラス板３の表面３ａに、薄状の装飾物４を同様に、透明の接着フィルム５により覆って、貼着してもよい。
【００２９】
図４は、第２実施例の額１の断面図を示す。  第１実施例と同じ構成要素には同じ符号を付している。
【００３０】
本実施例では、裏側のガラス板３の裏面３ｂ側に、裏側のガラス板３に光を透過させる光源７が設けられる。光源７としては、たとえばテープ状のＬＥＤ（テープＬＥＤ）を使用することができる。テープ状のＬＥＤである光源７は、板６ａのガラス板側面６ｃに貼着されている。板６ａには、光源７を発光させるための電気回路、制御回路、電源からなる電源ユニット８が設けられる。
【００３１】
光源７で発光した光は、裏側のガラス板３、表側のガラス板２を透過する。このため光源７による透過光とともに、押し花である薄状の装飾物４を、鑑賞することができる。
【００３２】
よって第２実施例によれば、薄状の装飾物４の美観を一層を向上させることができる。
【００３３】
（第３実施例）
図５は、第３実施例の建物構造体１０の断面図を示す。
【００３４】
図５に示すように、  建物構造体１０は、室内および室外から透視可能に、ガラス板２、３が建物に取り付けられてなるものである。
【００３５】
表側のガラス板２の室外側の表面２ａとは反対側の裏面２ｂ側に、裏側のガラス板３が配置されている。
【００３６】
表側のガラス板２と裏側のガラス板３との間に、押し花である薄状の装飾物４が挟み込まれている。たとえば表側ガラス板２の裏面２ｂに、薄状の装飾物４が貼着されている。この場合、図２に示したのと同様にして、たとえば透明の接着フィルム５により薄状の装飾物４が覆われて、表側ガラス板２の裏面２ｂに、薄状の装飾物４が貼着されている。裏側のガラス板３の表面３ａに、薄状の装飾物４を同様に、透明の接着フィルム５により覆って、貼着してもよい。
【００３７】
このように、表側のガラス板２と裏側のガラス板３との間に、押し花である薄状の装飾物４が挟み込まれた状態で、表側のガラス板２の裏面２ｂと裏側のガラス板３の表面３ａとが密接される。表側のガラス板２の裏面２ｂと裏側のガラス板３の表面３ａとを密接させる方法は、２枚のガラス板２、３を建物に取り付ける建物構造体１０の構造による。たとえば、はめ殺し窓サッシの場合には、２枚のガラス板２、３の外周部が窓サッシの凹部１０ａに固定される。より強固に固定させるために、たとえば凹部１０ａ内に、板ばね１６ｂが設けられ、２枚のガラス板２、３を密接させるばね力が付与される。これにより、薄状の装飾物４は真空状態に保持される。よって、本実施例によれば、簡易な工程と簡易な構成部材で、薄状の装飾物４の保存性や対候性が高められる。
【００３８】
なお、ガラス板は、化学研磨され、平滑面となっていることが望ましい。
【００３９】
なお、実施例では、薄状の装飾物４を、透明の接着フィルム５により薄状の装飾物４を覆ってガラス板に貼着しているが、薄状の装飾物４をガラス板に直接貼着してもよく、薄状の装飾物４を保持できるのであれば、接着剤などを使用することなく、表側のガラス板２と裏側のガラス板３との間に、挟み込むだけでよい。
【００４０】
上記した各実施例では、薄状の装飾物４は、押し花である場合を想定しているが、絵画、写真であってもよい。
【００４１】
また、ガラス板２、３に、紫外線が透過することを抑制するための表面処理（ＵＶカットコーティング）を施したり、フィルム（ＵＶカットフィルム）を貼着することで、押し花、絵画、写真などの薄状の装飾物４が劣化することを大幅に抑制することができる。
【図１】
2016022213.tif 000003
【図２】
2016022213.tif 000004
【図３】
2016022213.tif 000005
【図４】
2016022213.tif 000006
【図５】
2016022213.tif 000007